(57)【要約】【課題】ネーム・ディスプレイ電話機において、発呼者電話番号と発呼者名を面倒な操作を必要とすることなく電話帳に登録出来るようにする。【解決手段】ネーム・ディスプレイ電話機において、発呼信号とともに発呼側電話機から送信されてくる発呼者の電話番号を示す発呼者電話番号表示データおよび発呼者名を示す発呼者名表示データを着信履歴メモリＭ２に保存する保存手段と、この保存手段によって着信履歴メモリＭ２に保存された発呼者電話番号表示データおよび発呼者名表示データに基づいてその発呼者の電話番号と発呼者名を電話帳メモリＭ１に登録する電話帳登録手段とを備えている。【選択図】　　図４
2004064487.tif 000002
【特許請求の範囲】
【請求項１】
発呼者の電話番号と発呼者名の表示機能を有するとともに電話帳データを記憶する電話帳記憶部材と着信履歴データを記憶する着信履歴記憶部材を備えたネーム・ディスプレイ電話機において、
発呼信号とともに発呼側電話機から送信されてくる発呼者の電話番号を示す発呼者電話番号表示データおよび発呼者名を示す発呼者名表示データを前記着信履歴記憶部材に保存する保存手段と、
この保存手段によって着信履歴記憶部材に保存された発呼者電話番号表示データおよび発呼者名表示データに基づいてその発呼者の電話番号と発呼者名を前記電話帳記憶部材に登録する電話帳登録手段と、
を備えていることを特徴とするネーム・ディスプレイ電話機。
【請求項２】
氏名および名称の読み仮名を示す読み仮名データが蓄積された辞書記憶部材と、この辞書記憶部材から発呼者名表示データが示す発呼者名の読み仮名を検索する読み仮名検索手段と、この読み仮名検索手段によって検索された読み仮名を発呼者電話番号表示データおよび発呼者名表示データに基づく発呼者の電話番号および発呼者名とともに前記電話帳記憶部材に登録する読み仮名登録手段とをさらに備えている請求項１に記載のネーム・ディスプレイ電話機。
【請求項３】
前記電話帳登録手段による登録を自動的に行う自動登録モードのオン・オフを切り替える自動登録モード切替手段をさらに備えている請求項１に記載のネーム・ディスプレイ電話機。
【請求項４】
前記着信履歴記憶部材に保存された発呼者電話番号表示データおよび発呼者名表示データを電話帳記憶部材の既登録データと比較する比較手段と、この比較手段による比較によって電話帳記憶部材の既登録データに発呼者電話番号表示データおよび発呼者名表示データと一致するデータが無いことが検出されたときに前記電話帳登録手段による登録を実行させる登録実行手段とをさらに備えている請求項１に記載のネーム・ディスプレイ電話機。
【請求項５】
前記比較手段による比較によって発呼者電話番号表示データと発呼者名表示データのうちの一方のデータが電話帳記憶部材の既登録データと一致していることが検出されたときに一致していない他方のデータに基づいて電話帳記憶部材の既登録データを更新する更新手段をさらに備えている請求項１に記載のネーム・ディスプレイ電話機。
【請求項６】
氏名および名称の読み仮名を示す読み仮名データが蓄積された辞書記憶部材と、前記比較手段による比較によって発呼者電話番号表示データが電話帳記憶部材の既登録データと一致し発呼者名表示データが電話帳記憶部材の既登録データと一致していないことが検出されたときに前記辞書記憶部材から発呼者名表示データが示す発呼者名の読み仮名を検索する読み仮名検索手段と、この読み仮名検索手段によって検索された読み仮名に基づいて電話帳記憶部材の既登録データを更新する読み仮名更新手段をさらに備えている請求項５に記載のネーム・ディスプレイ電話機。
【請求項７】
前記更新手段による更新を自動的に行う自動更新モードのオン・オフを切り替える自動更新モード切替手段をさらに備えている請求項５に記載のネーム・ディスプレイ電話機。
【発明の詳細な説明】
【０００１】
【発明の属する技術分野】
この発明は、発呼者電話番号および発呼者名の表示機能を備えた電話機に関する。
【０００２】
【従来の技術】
２００２年７月から、それまでのダイヤル・ディスプレイと呼ばれる発呼者電話番号表示サービスに加えて、着呼側の電話機に発呼者名を表示するネーム・ディスプレイと呼ばれる発呼者名表示サービスが開始された。
【０００３】
そして、この発呼者名表示サービスの開始に伴って、発呼者電話番号の表示機能に加えて発呼者名の表示機能を備えた電話機が各種発売されている。
【０００４】
このようなネーム・ディスプレイ機能を備えた電話機は、例えば、特許公報３１０６９０２号や特開平８−１５４１２５号公報に記載されているように、発呼側の電話機から発呼信号とともに送信されてくる発呼者の電話番号と発呼者名を表示するための発呼者情報表示データを、電話機に備えられた着信履歴メモリに一旦保存した後、この発呼者情報表示データに基づいて発呼者の電話番号と発呼者名を電話機のディスプレイに表示するようになっている。
【０００５】
【発明が解決しようとする課題】
このようなネーム・ディスプレイ電話機のユーザは、通話後、その発呼者の電話番号と氏名や名称を電話機の電話帳メモリに登録しておきたいと欲する場合がある。
【０００６】
このような場合、従来のネーム・ディスプレイ電話機では、着信履歴メモリに保存されている発呼者情報表示データに基づいて、その発呼者の電話番号と氏名や名称を電話機のディスプレイに再度表示させ、ユーザが、その表示された電話番号や氏名等をメモ等に書き写した後、電話機を電話帳登録モードに切り替えて、手動操作により電話番号と氏名等のデータ入力を行う必要がある。
【０００７】
このため、従来は、電話機のネーム・ディスプレイ機能によって得られた発呼者情報表示データに基づいて電話帳メモリにその発呼者情報を登録する操作が非常に面倒であり、さらに、着信履歴メモリに保存されている発呼者情報表示データは、その古い順に、電話機が新しく受信した発呼者情報表示データによって上書きされてゆくために、電話帳メモリに登録しようとした時には、もうその発呼者情報表示データが着信履歴メモリから消去されていたといった事態が発生する虞がある。
【０００８】
この発明は、上記のような従来のネーム・ディスプレイ電話機が有している問題点を解決するために為されたものである。
【０００９】
【課題を解決するための手段】
この発明（請求項１に記載の発明）は、上記目的を達成するために、発呼者の電話番号と発呼者名の表示機能を有するとともに電話帳データを記憶する電話帳記憶部材と着信履歴データを記憶する着信履歴記憶部材を備えたネーム・ディスプレイ電話機において、発呼信号とともに発呼側電話機から送信されてくる発呼者の電話番号を示す発呼者電話番号表示データおよび発呼者名を示す発呼者名表示データを前記着信履歴記憶部材に保存する保存手段と、この保存手段によって着信履歴記憶部材に保存された発呼者電話番号表示データおよび発呼者名表示データに基づいてその発呼者の電話番号と発呼者名を前記電話帳記憶部材に登録する電話帳登録手段とを備えていることを特徴としている。
【００１０】
【発明の実施の形態】
以下、この発明の最も好適と思われる実施の形態について、図面を参照しながら詳細に説明を行う。
【００１１】
なお、以下の実施形態においては、この発明を子機を有するコードレス電話機に適用した場合の例が示されているが、この発明は、ネーム・ディスプレイ機能を備えていれば、例えば留守番電話機などの他の種々の形態の電話機に適用することができる。
【００１２】
図１は、この発明による音声ダイヤル機能付き電話機の実施形態の一例におけるネーム・ディスプレイ電話機の親機の構成を示すブロック図であり、図２はその子機の構成を示すブロック図である。
【００１３】
図１において、親機ＨＳは、外線接続端子Ｌ１，Ｌ２に入力される発呼側電話機からの発呼信号および後述するような発呼者識別データを含む外線着信信号と受話信号の検波を行う検波回路１と、電話機と外線との回線接続を制御する回線制御回路２と、この回線制御回路２を介して入力されてくる受話信号の後述する他の回路への送出や外線への送話信号の送出を行う通話回路３と、この通話回路３を介して入力されてくる受話信号や外線に送出する送話信号の音声処理を行うとともに後述するＣＰＵに対してモデムとして機能するＤＳＰ（Ｄｉｇｉｔａｌ　ＳｉｇｎａｌＰｒｏｃｅｓｓｏｒ）４と、子機との間でＭＣＡ（マルチ・チャンネル・アクセス）方式による無線通話回路を形成する無線送受信回路５と、子機との間で無線の送受信を行うアンテナ６と、回線制御回路２および通話回路３，ＤＳＰ４，無線送受信回路５に接続されて後述するような各回路の作動制御とナンバおよびネーム・ディスプレイ機能の制御を行うＣＰＵ７と、このＣＰＵ７に接続されて電話番号等のデータ入力や電話機操作を行うキースイッチ８と、ＣＰＵ７に接続されたドライバ９およびこのドライバ９によって駆動される液晶パネルや有機ＥＬなどのディスプレイ１０とを備えている。
【００１４】
そして、ＣＰＵ７には、メモリＭが接続されており、このメモリＭは、電話帳メモリＭ１と着信履歴メモリＭ２，辞書メモリＭ３、さらに、その他の図示しないメモリによって構成されている。
【００１５】
この電話帳メモリＭ１は、電話番号と氏名や名称を互いに対応させて記録しておくメモリであって、図３に示されるように、電話帳アドレスが記録される電話帳データアドレスフィールドＭ１ａと、電話番号が記録される電話番号フィールドＭ１ｂと、電話番号に対応する氏名や名称が記録される名称フィールドＭ１ｃと、名称の読み仮名フィールドＭ１ｄが設けられている。
【００１６】
着信履歴メモリＭ２は、後述するように、親機ＨＳに着信が有るごとに、発呼者の電話番号および発呼者名，着信日時等を示すデータの保存を行う。
【００１７】
図４は着信履歴メモリＭ３のデータ項目を示しており、シーケンシャル番号欄Ｍ２ａおよび電話番号欄Ｍ２ｂ，発呼者名欄Ｍ２ｃ，着信日時欄Ｍ２ｄから構成されている。
【００１８】
親機ＨＳに着信があると、シーケンシャル番号欄Ｍ２ａにシーケンシャル番号が付与され、この付与されたシーケンシャル番号に対応して、電話番号欄Ｍ２ｂに発呼先の電話番号が記録され、発呼者名欄Ｍ２ｃに発呼者名が記録され、着信日時欄Ｍ２ｄに着信日時が記録される。
【００１９】
ダイヤル・ディスプレイサービスによる着信があった場合には、発呼者名表示データは受信されないが、この場合には電話帳メモリＭ１を参照して、ダイヤル・ディスプレイサービスによって受信した発呼者電話番号表示データと一致する電話番号が電話帳メモリＭ１の電話番号フィールドＭ１ｂに登録されているか否かの判別を行い、一致する登録が有る場合には、この電話番号に対応する名称フィールドＭ１ｃの名称を読み取って、その名称を発呼者名として発呼者名欄Ｍ２ｃに記録する。
【００２０】
一致する電話番号が無い場合や、一致する電話番号に対応する名称が無い場合には、発呼者名欄Ｍ２ｃへの記録は行われない。
【００２１】
また、着信日時欄Ｍ２ｄへの着信日時の記録は、親機ＨＳが備えているカレンダ機能と時計機能を利用することによって行われる。
【００２２】
なお、ネーム・ディスプレイサービスにおいて日時データの送信が行われる場合には、この送信されてきた日時データに基づいて、着信日時欄Ｍ２ｄへの着信日時の記録が行われるようにしてもよい。
【００２３】
辞書メモリＭ３には、後述するように、外線着信信号に含まれている発呼者名を示すデータをそのデータが示す発呼者名の読み仮名に変換する変換辞書が記録される。
【００２４】
なお、図１中、１１は外線接続端子Ｌ１，Ｌ２から入力されてくる外線着信信号を検出するリング回路であり、１２はこのリング回路１１による外線着信信号の検出によって呼出音を鳴らすモニタスビーカであり、１３はオンフックモード時にハンズフリーによる通話を行うためのマイクであり、１４は子機を置いたままで通話するためのオンフックモードへの切り換えを行うオンフックスイッチである。
【００２５】
図２において、子機ＴＵは、親機ＨＳとの間で無線の送受信を行うアンテナ２１と、このアンテナ２１を介して親機ＨＳとの間でＭＣＡ方式による無線通話回路を形成する無線送受信回路２２と、この無線送受信回路２２を介して入力されてくる受話信号や外線に送出する送話信号の音声処理を行うとともに後述するＣＰＵに対してモデムとして機能するＤＳＰ（Ｄｉｇｉｔａｌ　Ｓｉｇｎａｌ　Ｐｒｏｃｅｓｓｏｒ）２３と、このＤＳＰ２３および無線送受信回路２２に接続されて後述するような各回路の作動制御を行うＣＰＵ２４と、このＣＰＵ２４に接続されて電話番号等のデータ入力や電話機操作を行うキースイッチ２５と、ＣＰＵ２４に接続されたドライバ２６およびこのドライバ２６によって駆動される液晶パネルや有機ＥＬなどのディスプレイ２７とを備えている。
【００２６】
この図２中、２８はマイク、２９はレシーバである。
【００２７】
次に、上記電話機における発呼者識別データに基づく電話帳への登録時の作動について、フローチャートを参照しながら説明を行う。
【００２８】
図５は、ＣＰＵ７における発呼者識別データに基づくメモリＭの電話帳メモリＭ１への発呼者電話番号と発呼者名の自動登録の制御の手順を示すフローチャートである。
【００２９】
なお、以下の説明は、着信が全てネーム・ディスプレイサービスにかかる着信であることを前提として行う。
【００３０】
ＣＰＵ７は、ユーザのキースイッチ８による設定操作によって、発呼者電話番号および発呼者名の自動登録モードのオン・オフの切り替えが行われる。
【００３１】
図５において、ＣＰＵ７は、発呼側電話機からの外線着信信号の着信の有無を常時判断しており（ステップＳ１）、このステップＳ１において外線着信信号の着信が有ったと判断すると、外線接続端子Ｌ１，Ｌ２および検波回路１，回線制御回路２，通話回路３，ＤＳＰ４を介して入力されてくる外線着信信号の発呼信号と発呼信号の間の休止時間に送信されてくる発呼者識別データから、発呼者電話番号の表示データと発呼者名の表示データの復調を行う（ステップＳ２）。
【００３２】
ＣＰＵ７は、このステップＳ２の後、外線着信信号から復調された発呼者電話番号表示データと発呼者名表示データに基づいて、ドライバ９によるディスプレイ１０への発呼者電話番号と発呼者名の表示を行う（ステップＳ３）とともに、図４の着信履歴メモリＭ２のシーケンシャル番号欄Ｍ２ａにシーケンシャル番号を付与して、それぞれ、対応する電話番号欄Ｍ２ｂに発呼者電話番号表示データを記録し、発呼者名欄Ｍ２ｃに発呼者名表示データを記録し、着信日時欄Ｍ２ｄに着信日時データを記録する（ステップＳ４）。
【００３３】
この後、ＣＰＵ７は、前述したようにユーザのキースイッチ８による設定操作によって、自動登録モードがオフになっているときには、発呼者電話番号および発呼者名の自動登録のためのフローを終了するが、自動登録モードがオンになっているときには、自動登録のための次のステップに進む（ステップＳ５）。
【００３４】
ステップＳ５において、自動登録モードがオンになっている場合には、ＣＰＵ７は、次に、着信履歴メモリＭ２の電話番号欄Ｍ２ｂと発呼者名欄Ｍ２ｃにそれぞれ保存されている発呼者電話番号表示データと発呼者名表示データとを読み出して、電話帳メモリＭ１の電話番号フィールドＭ１ｂおよび名称フィールドＭ１ｃにそれぞれ登録されている電話番号および氏名や名称の各データと比較し（ステップＳ６）、この発呼者電話番号表示データおよび発呼者名表示データと一致するデータが電話帳メモリＭ１の既登録データに存在するか否かの判定を行う（ステップＳ７）。
【００３５】
このステップＳ７において、発呼者電話番号表示データおよび発呼者名表示データに一致するデータが電話帳メモリＭ１の既登録データに存在しないと判定された時には、ＣＰＵ７は、辞書メモリＭ３から、発呼者名表示データが示す発呼者名の読み仮名を検索して、この発呼者名表示データに最も適すると判定した読み仮名のデータの読み出しを行う（ステップＳ８）。
【００３６】
そして、ＣＰＵ７は、電話帳メモリＭ１のアドレスフィールドＭ１ａの空いているアドレスに対応する電話番号フィールドＭ１ｂの領域に、着信履歴メモリＭ２の電話番号欄Ｍ２ｂに記録されている発呼者電話番号表示データが示す電話番号を記録し、名称フィールドＭ１ｃの領域に発呼者名称欄Ｍ２ｃに記録されている発呼者名表示データが示す発呼者名を記録し、読み仮名フィールドＭ１ｄの領域にステップＳ８において辞書メモリＭ３から読み出された発呼者名の読み仮名を記録してゆく（ステップＳ１０）。
【００３７】
なお、ステップＳ８とＳ１０の間に、ステップＳ８において辞書メモリＭ３から検索された発呼者名の読み仮名をディスプレイ１０に表示させるようにしても良い（ステップＳ９）。
【００３８】
また、図５に示される処理を終了して回線を開放した後、ユーザが、電話帳メモリＭ１を開いてディスプレイ１０に所望の発呼者名およびその読み仮名，電話番号を表示し、ディスプレイ１０に表示された発呼者名の読み仮名を確認して、もし、その表示された読み仮名に訂正の必要があると認めた場合には、その読み仮名の訂正を行って、電話帳メモリＭ１の読み仮名フィールドＭ１ｄの読み仮名の更新を行うようにしても良い。
【００３９】
また、上記のステップＳ９においてディスプレイ１０に発呼者名の読み仮名を表示した後、ＣＰＵ７が、自動的に電話帳メモリＭ１への登録手順に進まずに、ユーザがディスプレイ１０に表示された発呼者名の読み仮名を確認して、もしその表示された読み仮名に訂正の必要がある場合にはその訂正が行われた後に、電話帳メモリＭ１への登録手順を進めるように設定してもよい。
【００４０】
ステップＳ７において、受信した発呼者電話番号表示データまたは発呼者名表示データに一致するデータが電話帳メモリＭ１の既登録データに存在すると判定された場合には、ＣＰＵ７は、次に、この発呼者電話番号表示データおよび発呼者名表示データのうち一方のデータが既登録のデータと一致していない場合に、その一致していないデータによって電話帳メモリＭ１の登録の更新を行う設定が行われているか否かの判断を行う（ステップＳ１１）。
【００４１】
この更新設定は、あらかじめ、ユーザが親機ＨＳのキースイッチ８または子機ＴＵのキースイッチ２５を操作することによって行われる。
【００４２】
ステップＳ１１において、この更新設定が行われている場合には、次に、一致するデータが発呼者電話番号表示データであるか発呼者名表示データであるか、または、その双方であるかの判定を行う（ステップＳ１２）。
【００４３】
このステップＳ１２において、発呼者電話番号表示データは一致するが発呼者名表示データが既登録データとは異なると判定された場合（判断１）には、ＣＰＵ７は、前述したステップＳ８と同様にして、辞書メモリＭ３から発呼者名表示データが示す発呼者名の読み仮名を検索する（ステップＳ１３）。
【００４４】
そして、ＣＰＵ７は、電話帳メモリＭ１の対応する名称フィールドＭ１ｃと読み仮名フィールドＭ１ｄの領域にそれぞれ記録されている発呼者名とその読み仮名を、発呼者名表示データに基づく発呼者名と辞書メモリＭ３から検索された読み仮名によって上書きすることにより、それぞれ更新する（ステップＳ１５）。
【００４５】
なお、ステップＳ１３とＳ１５の間に、ステップＳ１３において辞書メモリＭ３から検索された発呼者名の読み仮名をディスプレイ１０に表示するようにしても良い（ステップＳ１４）。
【００４６】
また、前述したのと同様に、図５に示される処理を終了して回線を開放した後、ユーザが電話帳メモリＭ１を開いてディスプレイ１０に所望の発呼者名およびその読み仮名，電話番号を表示し、ユーザがディスプレイ１０に表示された発呼者名の読み仮名を確認して、もし、その表示された読み仮名に訂正の必要があると認めた場合には、その読み仮名の訂正を行って、電話帳メモリＭ１の読み仮名フィールドＭ１ｄの読み仮名の更新を行うようにしても良い。
【００４７】
またさらに、ステップＳ１４においてディスプレイ１０に発呼者名の読み仮名を表示した後、ＣＰＵ７が、自動的に電話帳メモリＭ１の更新手順に進まずに、ユーザがディスプレイ１０に表示された発呼者名の読み仮名を確認して、もしその表示された読み仮名に訂正の必要がある場合にはその訂正が行われた後に、電話帳メモリＭ１の更新手順を進めるようにしてもよい。
【００４８】
ステップＳ１２において、発呼者名表示データは一致するが発呼者電話番号表示データが既登録データとは異なると判定された場合（判断２）には、ＣＰＵ７は、電話帳メモリＭ１の対応する電話番号フィールドＭ１ｂの領域に記録されている電話番号を、発呼者電話番号表示データに基づく電話番号によって上書きすることにより更新する（ステップＳ１６）。
【００４９】
また、ステップＳ１２において、発呼者電話番号表示データと発呼者名表示データがともに既登録データに一致すると判定された場合（判断３）には、電話帳メモリＭ１の更新登録を行うことなく、自動登録の制御フローを終了する。
【００５０】
なお、上記においては、親機ＨＳにおける発呼者電話番号表示データと発呼者名表示データの自動登録の制御手順について説明を行ったが、図２に示される子機ＴＵについても、親機ＨＳの場合と同様に、電話帳メモリＭ２１および着信履歴メモリＭ２２，辞書メモリＭ２３を有するメモリＭ２０と、ＣＰＵ２４において上述した自動登録の制御手順と同様の制御手順を実行するプログラムを備えることによって、ナンバおよびネーム・ディスプレイ機能を発揮するとともに、受信した発呼者電話番号表示データおよび発呼者名表示データに基づく電話帳メモリＭ２１への自動登録が行われるようにすることが出来る。
【００５１】
図５のフローチャートにおいて、ステップＳ１１に示されるように、電話帳メモリＭ１の登録の更新を行うか否かの設定を行うことが出来るようにしたのは、ユーザによって、電話帳メモリＭ１の電話番号フィールドＭ１ｂに登録されている電話番号と名称フィールドＭ１ｃに登録されている発呼者名を常に最新のデータにしておきたいと希望する場合と、電話帳メモリＭ１に独自の内容で登録している等の理由によりその登録内容を変更したくないと希望する場合とがあるためである。
【００５２】
すなわち、電話帳メモリＭ１の更新を行う設定が行われている場合には、受信した発呼者電話番号表示データや発呼者名表示データは最新のデータであるから、これらのデータによって電話帳メモリＭｌの登録データを更新することによって、電話帳メモリＭ１の登録内容は、常に最新のものに保持される。
【００５３】
また、電話帳メモリＭ１の更新を行う設定が行われていない場合には、受信した発呼者電話番号表示データや発呼者名表示データが電話帳メモリＭ１の既登録データと異なる場合でも、電話帳メモリＭ１の登録の更新は行われない。
【００５４】
例えば、電話帳メモリＭ１の名称フィールドＭ１ｃに発呼者名「＊＊＊＊」が登録され、この発呼者名「＊＊＊＊」に対応する携帯電話機の電話番号「○○○○○○○○○○○」が電話番号フィールドＭ１ｂに登録されている場合に、同じ発呼者（発呼者名「＊＊＊＊」）の家庭に設置されているホーム用電話機からの発呼者電話番号表示データおよび発呼者名表示データを受信すると、この受信した発呼者名表示データは、既登録のデータと同じ発呼者名「＊＊＊＊」を表示するデータであるが、受信した発呼者電話番号表示データは、既登録の携帯電話機の電話番号とは異なるホーム用電話機の電話番号「□□□□□□□□」を表示するデータである。
【００５５】
このような場合に、電話帳メモリＭ１の更新を行う設定が行われていると、電話番号フィールドＭ１ｂに登録されている携帯電話機の電話番号「○○○○○○○○○○○」が、新たに受信したホーム用電話機の電話番号「□□□□□□□□」によって更新されてしまうことになる。
【００５６】
従って、ユーザが、このような更新登録が行われるのを希望しない場合に、更新を行う設定がオフにされる。
【００５７】
また、電話帳メモリＭ１の名称フィールドＭ１ｃに、例えば発呼者名として表示される名前や名称とは別の「パパの会社」といったような愛称や別称などが電話番号「××××××××」に対応して登録されている場合に、この電話番号「××××××××」の電話機から着信があると、ユーザの電話機には、電話帳メモリＭ１に登録されている名称とは異なる発呼者名、例えば父親の会社の会社名称「△△△△」を表示する発呼者名表示データが受信されるので、このような場合に、電話帳メモリＭ１に登録した名称の更新登録が行われないように、更新を行う設定がオフにされる。
【００５８】
なお、ダイヤル・ディスプレイサービスによる外線着信信号を受信した場合には、電話機には発呼者電話番号表示データのみが受信されて発呼者名表示データは受信されないが、この場合には、前述したように、電話帳メモリＭ１を参照することにより、ダイヤル・ディスプレイサービスにより受信した発呼者電話番号表示データと一致する電話番号が電話帳メモリＭ１の電話番号フィールドＭ１ｂに登録されているか否かの判定を行い、一致する電話番号が登録されている場合には、電話帳メモリＭ１に登録されているこの電話番号に対応する名称を読み出して、この名称を着信履歴メモリＭ２の発呼者名欄Ｍ２ｃに記録する。
【００５９】
一致する電話番号が登録されていない場合や一致する電話番号に対応する名称が登録されていないときには、発呼者の名称は記録されない。
【００６０】
なお、この実施形態におけるネーム・ディスプレイ電話機を留守番電話機に適用する場合には、発呼者の電話機から送信されてくる用件メッセージを、着信履歴メモリＭ２に記録される発呼者電話番号表示データおよび発呼者名表示データに対応させて記録するようにし、用件メッセージの再生が行われる際に、着信履歴メモリＭ２に記録された発呼者電話番号表示データおよび発呼者名表示データによる電話番号および発呼者名の表示が行われるようにする。
【００６１】
この場合にも、着信履歴メモリＭ２の着信履歴データから電話帳メモリＭ１への登録や登録の更新は、前述したのと同様の処理によって行われる。
【００６２】
上記のようなこの発明によるネーム・ディスプレイ電話機の実施形態における例は、発呼者の電話番号と発呼者名の表示機能を有するとともに電話帳データを記憶する電話帳記憶部材と着信履歴データを記憶する着信履歴記憶部材を備えたネーム・ディスプレイ電話機において、発呼信号とともに発呼側電話機から送信されてくる発呼者の電話番号を示す発呼者電話番号表示データおよび発呼者名を示す発呼者名表示データを前記着信履歴記憶部材に保存する保存手段と、この保存手段によって着信履歴記憶部材に保存された発呼者電話番号表示データおよび発呼者名表示データに基づいてその発呼者の電話番号と発呼者名を前記電話帳記憶部材に登録する電話帳登録手段とを備えているネーム・ディスプレイ電話機の実施形態を、その上位概念とするものである。
【００６３】
この上位概念の実施形態におけるネーム・ディスプレイ電話機は、ダイヤル・ディスプレイと呼ばれる発呼者電話番号表示サービスに加えて、受信側電話機に発呼者名を表示するネーム・ディスプレイと呼ばれる発呼者名表示サービスの開始にともなって、発呼側電話機から発呼信号とともに着呼側のネーム・ディスプレイ電話機に発呼者の電話番号を示す発呼者電話番号表示データと発呼者名を示す発呼者名表示データが送信されてくると、この着呼側のネーム・ディスプレイ電話機に、発呼者電話番号表示データと発呼者名表示データに基づく発呼者電話番号および発呼者名が表示される。
【００６４】
そして、これと同時に、着呼側のネーム・ディスプレイ電話機に送信されてきた発呼者電話番号表示データと発呼者名表示データが、保存手段によって着信履歴記憶部材に保存される。
【００６５】
この後、着信履歴記憶部材に保存された発呼者電話番号表示データと発呼者名表示データは、電話帳登録手段によって、ネーム・ディスプレイ電話機が備えている電話帳記憶部材に登録される。
【００６６】
このネーム・ディスプレイ電話機によれば、電話帳登録手段による発呼者電話番号表示データと発呼者名表示データの電話帳記憶部材への登録が自動的に行われるように設定することによって、発呼者電話番号と発呼者名を電話機の電話帳に登録する際に、従来のように、ユーザが、ディスプレイに表示された電話番号や氏名等をメモ等に書き写して、手動操作により電話番号と氏名等のデータ入力を行うといった面倒な操作が必要無くなり、さらに、着信履歴記憶部材に保存された発呼者電話番号表示データと発呼者名表示データが消去されて、その発呼者の電話番号や発呼者名が分からなくなるといった事態が発生するのを防止することが出来るようになる。
【図面の簡単な説明】
【図１】この発明によるネーム・ディスプレイ電話機の実施形態の一例における親機の回路構成を示すブロック図である。
【図２】同例における子機の回路構成を示すブロック図である。
【図３】同例のネーム・ディスプレイ電話機の電話帳メモリに記録される電話帳データの一例を示すテーブル図である。
【図４】同例のネーム・ディスプレイ電話機の着信履歴メモリに記録される着信データの一例を示すテーブル図である。
【図５】同例における電話帳メモリへの発呼者電話番号と発呼者名の自動登録の制御手順を示すフローチャートである。
【符号の説明】
７，２４　　　　…ＣＰＵ
８，２５　　　　…キースイッチ
９，２６　　　　…ドライバ
１０，２７　　　…ディスプレイ
Ｍ，Ｍ１０　　　…メモリ
Ｍ１，Ｍ２１　　…電話帳メモリ（電話帳記憶部材）
Ｍ２，Ｍ２２　　…着信履歴メモリ（着信履歴記憶部材）
Ｍ３，Ｍ２３　　…辞書メモリ（辞書記憶部材）
ＨＳ　　　　　　…親機
ＴＵ　　　　　　…子機
【図１】
2004064487.tif 000003
【図２】
2004064487.tif 000004
【図３】
2004064487.tif 000005
【図４】
2004064487.tif 000006
【図５】
2004064487.tif 000007